(57)【要約】【課題】装置本体のユニットが固定される部分の強度を向上させることができる画像形成装置を提供する。【解決手段】画像形成装置は、本体排紙トレイおよび樹脂からなるサイドフレーム１００，２００を有し、オプショントレイと挿入部材１５を有する排紙ユニット１０を取り付け可能な装置本体２と、サイドフレーム１００，２００に設けられる金属からなるブラケット８０，９０と、を備えている。サイドフレーム１００，２００は、排紙ユニット１０が載置される載置部１０１，２０１を有している。そして、ブラケット８０，９０は、載置部１０１，２０１に被せられ、挿入部材１５が挿入される開口部８６，９４を有している。【選択図】図２
2015194558.tif 000002
【特許請求の範囲】
【請求項１】
第１排紙トレイと樹脂からなるフレームとを有し、第２排紙トレイと挿入部材を有する排紙ユニットを取り付け可能な装置本体と、
前記フレームに設けられる金属からなるブラケットと、を備え、
前記フレームは、前記排紙ユニットが載置される載置部を有し、
前記ブラケットは、前記載置部に被せられ、前記挿入部材が挿入される開口部を有していることを特徴とする画像形成装置。
【請求項２】
前記載置部は、前記排紙ユニットから荷重を受ける第１面と、前記第１面から下方に延びる第２面とを有し、
前記ブラケットは、前記第１面を覆う第１被覆部と、前記第２面を覆う第２被覆部とを有することを特徴とする請求項１に記載の画像形成装置。
【請求項３】
前記排紙ユニットは、前記第１被覆部の上に載ることを特徴とする請求項２に記載の画像形成装置。
【請求項４】
前記開口部は、前記第１被覆部と前記第２被覆部との角部に形成され、
前記第２被覆部と前記第２面は離間しており、
前記開口部に挿入される前記挿入部材は、前記第２被覆部と前記第２面の間に配置されることを特徴とする請求項２または請求項３に記載の画像形成装置。
【請求項５】
前記開口部の縁には、前記挿入部材を前記開口部の内側に案内する案内部が設けられていることを特徴とする請求項４に記載の画像形成装置。
【請求項６】
前記開口部の縁には、前記第２面よりも前記開口部の中心側へ突出した保護部が設けられていることを特徴とする請求項４または請求項５に記載の画像形成装置。
【請求項７】
前記第２面は、前記第２被覆部側に突出し、前記挿入部材の挿入方向に延びるリブを有していることを特徴とする請求項２から請求項６のいずれか１項に記載の画像形成装置。
【請求項８】
前記リブは、前記開口部側の端部に、前記開口部から離れるにつれて前記第２被覆部側に近づく傾斜部を有していることを特徴とする請求項７に記載の画像形成装置。
【請求項９】
前記リブの前記第２面からの突出量は、前記保護部の前記第２面の延長面に対する突出量と同じであることを特徴とする請求項７または請求項８に記載の画像形成装置。
【請求項１０】
前記ブラケットは、ブラケット側係合部を有し、
前記挿入部材は、前記ブラケット側係合部に係合することで、前記第２被覆部と前記第２面の対向方向に直交する方向の位置を決める挿入部材側係合部を有することを特徴とする請求項２から請求項９のいずれか１項に記載の画像形成装置。
【請求項１１】
前記ブラケットは、一対のブラケット側位置決め部を有し、
前記第１面には、前記ブラケット側位置決め部と係合することで前記ブラケットの前記載置部に対する位置を決める一対の載置部側位置決め部を有し、
前記フレームは、前記一対の載置部側位置決め部の間に、前記第１面から凹んだ凹部を有していることを特徴とする請求項２から請求項１０のいずれか１項に記載の画像形成装置。
【請求項１２】
前記載置部は、前記第１面の前記第２面とは反対側の部分から下方に延びる第３面を有し、
前記ブラケットは、前記第３面を覆う第３被覆部を有し、前記第２被覆部と前記第３被覆部で前記載置部を挟んでいることを特徴とする請求項２から請求項１１に記載の画像形成装置。
【請求項１３】
前記装置本体は、前記フレームを一対有し、
前記載置部および前記ブラケットは、各フレームに設けられ、
前記一方側のブラケットにおける前記開口部よりも、前記他方側のブラケットにおける前記開口部の方が、前記一対のフレームの対向方向に大きいことを特徴とする請求項１から請求項１２のいずれか１項に記載の画像形成装置。
【請求項１４】
前記一方側のブラケットは、前記排紙ユニットが有する排紙ユニット側コネクタと接続される本体側コネクタを固定するコネクタ固定部を有していることを特徴とする請求項１３に記載の画像形成装置。
【発明の詳細な説明】
【技術分野】
【０００１】
本発明は、装置本体に排紙ユニットを取り付け可能な画像形成装置に関する。
【背景技術】
【０００２】
従来、画像形成装置において、装置本体の軽量化のため、装置本体を構成するフレームを樹脂で形成したものが知られている（例えば、特許文献１参照）。また、この画像形成装置では、フレームの上に装置本体とは別体のユニットを載置し、フレームとユニットをビス等で固定している。
【先行技術文献】
【特許文献】
【０００３】
【特許文献１】特開２０１１−２３７５７９号公報
【発明の概要】
【発明が解決しようとする課題】
【０００４】
しかしながら、上述した技術では、フレームが樹脂で形成されているため、樹脂フレームにおける装置本体に取り付けられるユニットを固定する部分の強度が不十分であった。
【０００５】
そこで、本発明は、樹脂フレームにおける装置本体に取り付けられるユニットが固定される部分の強度を向上させることができる画像形成装置を提供することを目的とする。
【課題を解決するための手段】
【０００６】
前記した目的を達成するため、本発明の画像形成装置は、第１排紙トレイと樹脂からなるフレームとを有し、第２排紙トレイと挿入部材を有する排紙ユニットを取り付け可能な装置本体と、フレームに設けられる金属からなるブラケットと、を備えている。
フレームは、排紙ユニットが載置される載置部を有している。
そして、ブラケットは、載置部に被せられ、挿入部材が挿入される開口部を有している。
【０００７】
このように構成された画像形成装置によれば、フレームを樹脂で形成しても、排紙ユニットの挿入部材が挿入されるブラケットは金属で形成されているので、装置本体の排紙ユニットが固定される部分の強度を向上させることができる。
【０００８】
そして、前記した画像形成装置において、載置部は、排紙ユニットから荷重を受ける第１面と、第１面から下方に延びる第２面とを有し、ブラケットは、第１面を覆う第１被覆部と、第２面を覆う第２被覆部とを有していてもよい。
【０００９】
この場合、前記した排紙ユニットは、第１被覆部の上に載置されることが望ましい。
【００１０】
これによれば、排紙ユニットから受ける荷重を広い面で受けることができる。
【００１１】
また、前記したブラケットが第１被覆部および第２被覆部を有する場合、開口部は、第１被覆部と第２被覆部との角部に形成され、第２被覆部と第２面は離間しており、開口部に挿入される挿入部材は、第２被覆部と第２面の間に配置されるように構成されていてもよい。
【００１２】
そして、この場合、開口部の縁には、挿入部材を開口部の内側に案内する案内部が設けられていることが望ましい。
【００１３】
これによれば、排紙ユニットを装置本体に取り付ける際に、挿入部材を開口部に挿入しやすい。
【００１４】
そして、前記した開口部の縁には、第２面よりも開口部の中心側へ突出した保護部が設けられていることが望ましい。
【００１５】
これによれば、挿入部材を開口部に挿入する際に、挿入部材の先端が樹脂で形成されたフレームに当たるのを抑えることができる。
【００１６】
また、前記した第２面は、第２被覆部側に突出し、挿入部材の挿入方向に延びるリブを有していてもよい。
【００１７】
そして、この場合、前記したリブは、開口部側の端部に、開口部から離れるにつれて第２被覆部側に近づく傾斜部を有していることが望ましい。
【００１８】
これによれば、挿入部材を開口部に挿入する際に、挿入部材がリブに引っかかるのを抑えることができる。
【００１９】
そして、前記したリブの第２面からの突出量は、保護部の第２面の延長面に対する突出量と同じであってもよい。
【００２０】
前記した画像形成装置において、ブラケットは、ブラケット側係合部を有し、挿入部材は、ブラケット側係合部に係合することで、第２被覆部と第２面の対向方向に直交する方向の位置を決める挿入部材側係合部を有していてもよい。
【００２１】
そして、前記した画像形成装置において、ブラケットは、一対のブラケット側位置決め部を有し、第１面には、ブラケット側位置決め部と係合することでブラケットの載置部に対する位置を決める一対の載置部側位置決め部を有し、フレームは、一対の載置部側位置決め部の間に、第１面から凹んだ凹部を有していてもよい。
【００２２】
また、前記した画像形成装置において、載置部は、第１面の第２面とは反対側の部分から下方に延びる第３面を有し、ブラケットは、第３面を覆う第３被覆部を有し、第２被覆部と第３被覆部で載置部を挟んでいてもよい。
【００２３】
前記した画像形成装置において、装置本体は、フレームを一対有し、載置部およびブラケットは、各フレームに設けられ、一方側のブラケットにおける開口部よりも、他方側のブラケットにおける開口部の方が、一対のフレームの対向方向に大きいことが望ましい。
【００２４】
これによれば、片側の開口部が大きくなっていることで、挿入部材の位置の誤差を吸収することができる。
【００２５】
前記した画像形成装置において、前記一方側のブラケットは、排紙ユニットが有する排紙ユニット側コネクタと接続される本体側コネクタを固定するコネクタ固定部を有していることが望ましい。
【００２６】
小さい方の開口部が設けられているブラケットの方が、排紙ユニットとの位置のずれが小さいので、このブラケットにコネクタ固定部を設けることで、排紙ユニット側コネクタと本体側コネクタの位置が大きくずれるのを抑えることができる。これにより、排紙ユニット側コネクタを本体側コネクタに接続しやすくできる。
【発明の効果】
【００２７】
本発明によれば、フレームを樹脂で形成しても、排紙ユニットの挿入部材が挿入されるブラケットは金属で形成されているので、装置本体の排紙ユニットが固定される部分の強度を向上させることができる。
【図面の簡単な説明】
【００２８】
【図１】本発明の一実施形態に係る排紙ユニットが取り付けられたレーザプリンタの概略構成を示す断面図である。
【図２】一対のサイドフレーム、第１ブラケット、第２ブラケットおよび排紙ユニットを示す斜視図である。
【図３】第１載置部を示す左側のサイドフレームの後端部の拡大図である。
【図４】第１ブラケットを示す斜視図（ａ），（ｂ）である。
【図５】第１ブラケットが取り付けられた左側のサイドフレームを示す斜視図（ａ）と断面図（ｂ）である。
【図６】第２載置部を示す右側のフレームの後端部の拡大図である。
【図７】第２ブラケットを示す斜視図（ａ），（ｂ）である。
【図８】第２ブラケットが取り付けられた右側のサイドフレームを示す斜視図（ａ）と断面図（ｂ）である。
【図９】挿入部材を示す斜視図である。
【図１０】挿入部材が挿入された状態の第１ブラケットおよび左側のサイドフレームを示す断面図（ａ）と、挿入部材が挿入された状態の第２ブラケットおよび右側のサイドフレームを示す断面図（ｂ）である。
【図１１】変形例における一対のサイドフレーム、ブラケットおよび排紙ユニットを示す斜視図である。
【発明を実施するための形態】
【００２９】
次に本発明の一実施形態について、適宜図面を参照しながら詳細に説明する。
なお、以下の説明において、方向は、レーザプリンタ１を使用するユーザを基準にした方向で説明する。具体的には、ユーザから見て手前側である図１の右側を「前」とし、ユーザから見て奥側である図１の左側を「後」とし、図１の紙面手前側を「左」、紙面奥側を「右」とする。また、図１の上下方向を「上下」とする。
【００３０】
図１に示すように、レーザプリンタ１は、画像形成装置の一例であり、装置本体２の上に、オプション部品として排紙ユニット１０を選択的に取り付け可能に構成されている。
【００３１】
装置本体２は、内部に、給紙部３、画像形成部４および搬送部７などを有している。そして、装置本体２は、上面に、搬送部７によって排紙された用紙Ｓが載置される第１排紙トレイの一例としての本体排紙トレイ２１を有している。
【００３２】
給紙部３は、装置本体２内の下部に設けられ、給紙トレイ３１と、給紙トレイ３１に設けられた用紙押圧板３２と、複数のローラからなる給紙機構３３とを主に備えている。
【００３３】
給紙部３では、給紙トレイ３１に収容された用紙Ｓが、用紙押圧板３２によって給紙機構３３に向けて持ち上げられ、給紙機構３３によって画像形成部４に向けて供給される。
【００３４】
画像形成部４は、給紙部３の上に配置され、給紙部３から給紙された用紙Ｓに画像を形成するように構成されている。画像形成部４は、露光装置４１と、プロセスカートリッジ５と、定着部６とを主に備えている。
【００３５】
露光装置４１は、装置本体２内の上部に配置され、図示しないレーザ発光部や、符号を省略して示すポリゴンミラー、レンズ、反射鏡などを備えている。この露光装置４１では、レーザ発光部から出射される画像データに基づくレーザ光が、プロセスカートリッジ５が備える感光ドラム５１の表面で高速走査されることで、感光ドラム５１の表面を露光する。
【００３６】
プロセスカートリッジ５は、露光装置４１の下方に配置され、装置本体２に設けられたフロントカバー２２を開いたときにできる装着口から装置本体２に対して着脱可能に装着される構成となっている。このプロセスカートリッジ５は、ドラムカートリッジ５Ａと、現像カートリッジ５Ｂとから構成されている。
【００３７】
ドラムカートリッジ５Ａは、感光ドラム５１のほか、符号を省略して示す帯電器や転写ローラなどを備えている。また、現像カートリッジ５Ｂは、ドラムカートリッジ５Ａに対して着脱可能に装着される構成となっており、現像ローラ５２のほか、符号を省略して示す供給ローラ、層厚規制ブレードおよびトナーを収容するトナー収容部などを備えている。
【００３８】
このプロセスカートリッジ５では、感光ドラム５１の表面が、帯電器により一様に帯電された後、露光装置４１からのレーザ光の高速走査によって露光されることで、感光ドラム５１上に画像データに基づく静電潜像が形成される。また、トナー収容部内のトナーは、供給ローラを介して現像ローラ５２に供給され、現像ローラ５２と層厚規制ブレードの間に進入して一定厚さの薄層として現像ローラ５２上に担持される。
【００３９】
現像ローラ５２上に担持されたトナーは、現像ローラ５２から感光ドラム５１上に形成された静電潜像に供給される。これにより、静電潜像が可視像化され、感光ドラム５１上にトナー像が形成される。その後、感光ドラム５１と転写ローラの間を用紙Ｓが搬送されることで感光ドラム５１上のトナー像が用紙Ｓ上に転写される。
【００４０】
定着部６は、プロセスカートリッジ５の後方に配置され、発熱体を有する加熱ユニット６１と、加熱ユニット６１との間で定着ベルトを挟持する加圧ローラ６２とを主に備えている。この定着部６では、用紙Ｓ上に転写されたトナー像を、用紙Ｓが加熱ユニット６１と加圧ローラ６２との間を通過する間に熱定着させている。
【００４１】
搬送部７は、定着部６から排出された用紙Ｓを本体排紙トレイ２１へ搬送するための本体排紙経路７１と、本体排紙経路７１から分岐する搬出経路７２と、本体排紙経路７１と搬出経路７２の分岐部に設けられたフラッパ７３と、本体排紙経路７１の出口付近に設けられた排紙ローラ７４とを備えている。
【００４２】
搬出経路７２は、装置本体２の上面の後部に設けられた連通口２３を通して排紙ユニット１０へ用紙Ｓを搬送するように構成されている。
【００４３】
フラッパ７３は、装置本体２に前後に揺動可能に支持され、後方に揺動して搬出経路７２を塞ぐ位置に移動することで（実線参照）、本体排紙経路７１を通る用紙Ｓを排紙ローラ７４へ案内し、前方に揺動して本体排紙経路７１を塞ぐ位置に移動することで（二点鎖線参照）、本体排紙経路７１を通る用紙Ｓを搬出経路７２へ案内するように構成されている。
【００４４】
搬送部７では、用紙Ｓを本体排紙トレイ２１に排紙するときには、フラッパ７３が後方に揺動することで、画像形成部４から搬出された用紙Ｓが本体排紙経路７１を通って排紙ローラ７４によって本体排紙トレイ２１に排出される。そして、用紙Ｓを排紙ユニット１０へ搬出するときには、フラッパ７３が前方に揺動することで、画像形成部４から搬出された用紙Ｓが本体排紙経路７１から搬出経路７２へ案内され、連通口２３を通って排紙ユニット１０へ搬出される。
【００４５】
排紙ユニット１０は、上下に並ぶ複数の第２排紙トレイの一例としてのオプショントレイ１１と、複数のオプショントレイ１１を支持する筐体１２と、各オプショントレイ１１に対応して設けられる排紙ローラ１３と、連通口２３を通して搬出経路７２に連通可能であり、搬出経路７２から搬送されてきた用紙Ｓを各排紙ローラ１３へ搬送可能な排紙ユニット内経路１４とを備えている。
【００４６】
この排紙ユニット１０では、装置本体２の連通口２３から搬出された用紙Ｓが、排紙ユニット内経路１４により案内されて、目的のオプショントレイ１１に排紙される。
【００４７】
次に、排紙ユニット１０を装置本体２に取り付けるための構成について詳しく説明する。
図２に示すように、装置本体２は、一対のフレームの一例としてのサイドフレーム１００，２００を備え、この一対のサイドフレーム１００，２００の後部に排紙ユニット１０が載置されるようになっている。
【００４８】
一対のサイドフレーム１００，２００は、樹脂からなり、画像形成部４を挟んで左右方向で対向している。一対のサイドフレーム１００，２００は、その間に配置される部材、例えば、画像形成部４の搬送経路を構成する搬送ガイド４２や露光装置４１を支持する支持プレート４１Ａによって連結されている。
【００４９】
左側のサイドフレーム１００は、後部の上端部が、排紙ユニット１０が載置される載置部の一例としての第１載置部１０１となっている。この第１載置部１０１には、ブラケットの一例としての第１ブラケット８０が設けられている。右側のサイドフレーム２００は、後部の上端部が、排紙ユニット１０が載置される載置部の一例としての第２載置部２０１となっている。この第２載置部２０１には、ブラケットの一例としての第２ブラケット９０が設けられている。また、第１ブラケット８０には、装置本体２に設けられた回路基板２５に接続された本体側コネクタＣ１が設けられている。
【００５０】
排紙ユニット１０は、筐体１２の下面から突出し、第１ブラケット８０および第２ブラケット９０に係合可能な一対の挿入部材１５と、本体側コネクタＣ１に接続可能な排紙ユニット側コネクタＣ２とを有している。
【００５１】
図３に示すように、左側のサイドフレーム１００の第１載置部１０１は、第１面の一例としての上面１１０と、上面１１０の右端部から下方に延びる第２面の一例としての右側面１２０と、上面１１０の右側面１２０とは反対側の部分、すなわち、左端部から下方に延びる第３面の一例としての左側面１３０（図５（ｂ）参照）とを有している。
【００５２】
第１載置部１０１の上面１１０は、排紙ユニット１０が装置本体２に取り付けられたときに、排紙ユニット１０から荷重を受ける面である。この上面１１０には、前後に離れた位置から上方へ突出する一対の載置部側位置決め部の一例としての第１位置決め突起１１１が設けられている。
【００５３】
また、一対の第１位置決め突起１１１の間には、上面１１０から下方に凹んだ凹部の一例としての第１凹部１１２が設けられている。このように第１凹部１１２を設けることで、上面１１０にいわゆるヒケが生じるのを抑えることが可能になっている。
【００５４】
第１載置部１０１の右側面１２０には、前後に並ぶ一対の突出部１２１と、一対の突出部１２１の間の位置で前後に並ぶ一対のリブ１２２とが設けられている。
【００５５】
各突出部１２１は、右側面１２０から突出するように設けられ、上下方向に長く延びるリブ状の第１部分１２１Ａと、第１部分１２１Ａの上部から前後方向外側へ延出するリブ状の一対の第２部分１２１Ｂとを有している。
【００５６】
各リブ１２２は、右側面１２０から突出するように設けられ、上下方向に長く延びている。このリブ１２２の右側面１２０からの突出量は、突出部１２１の右側面１２０からの突出量よりも小さくなっている。つまり、突出部１２１の右端面は、リブ１２２の右端面よりも右側に位置している。
【００５７】
また、各リブ１２２は、上端部に、下方に向かうにつれて右側面１２０から離れるように延びる傾斜部１２２Ａを有している。
【００５８】
図４（ａ），（ｂ）に示すように、第１ブラケット８０は、金属からなる板状の部材である。第１ブラケット８０は、水平方向に延びる第１被覆部８１と、第１被覆部８１の右端部から下方に延びる第２被覆部８２と、第１被覆部８１の左端部から下方に延びる第３被覆部８３と、第３被覆部８３の下端から左方に延びるコネクタ固定部８４とを有している。
【００５９】
第１被覆部８１には、一対のブラケット側位置決め部の一例としての丸穴８１Ａと長穴８１Ｂが形成されている。長穴８１Ｂは、丸穴８１Ａの後側に配置され、前後方向に長くなっている。
【００６０】
第２被覆部８２は、下端の中央部に、第１被覆部８１側、つまり、左側に突出するブラケット側係合部の一例としての第１係合部８５が設けられている。また、第２被覆部８２は、第１係合部８５を挟んだ前後の位置に、２つの貫通孔８２Ａが形成されている。
【００６１】
コネクタ固定部８４は、中央部に、本体側コネクタＣ１が配置される固定穴８４Ａが形成されている。
【００６２】
そして、第１被覆部８１と第２被覆部８２の角部には、開口部の一例としての第１開口部８６が形成されている。この第１開口部８６は、第１被覆部８１の右端部と第２被覆部８２の上端部を切り欠くようにして形成されている。
【００６３】
この第１開口部８６の縁には、保護部８１Ｃと案内部８２Ｂが設けられている。保護部８１Ｃは、第１開口部８６の第１被覆部８１側の縁から第１開口部８６の中心側に突出するように形成されている。案内部８２Ｂは、第１開口部８６の第２被覆部８２側の縁から第１開口部８６の外側、詳細には、上斜め右側に延出している。
【００６４】
このように構成された第１ブラケット８０は、図５（ａ），（ｂ）に示すように、第１被覆部８１が第１載置部１０１の上面１１０を覆い、第２被覆部８２が第１載置部１０１の右側面１２０を覆い、第３被覆部８３が第１載置部１０１の左側面１３０を覆うように、第１載置部１０１に被せられている。
【００６５】
そして、第１載置部１０１に第１ブラケット８０が被せられることで、第１ブラケット８０の第２被覆部８２と第３被覆部８３で第１載置部１０１を挟んでいる。
【００６６】
第１被覆部８１に形成された丸穴８１Ａと長穴８１Ｂには、第１載置部１０１の上面１１０に設けられた一対の第１位置決め突起１１１が係合している。これにより、第１ブラケット８０が左側のサイドフレーム１００の第１載置部１０１に対して位置決めされている。
【００６７】
そして、第２被覆部８２の２つの貫通孔８２Ａに通された図示しないネジが左側のサイドフレーム１００にねじ込まれることにより、第１ブラケット８０が左側のサイドフレーム１００に固定されている。
【００６８】
そして、図５（ｂ）に示すように、第２被覆部８２は、第１載置部１０１の右側面１２０に設けられた一対の突出部１２１に当接している。これにより、第２被覆部８２と第１載置部１０１の右側面１２０は離間しており、第１ブラケット８０の第１開口部８６は、第２被覆部８２と第１載置部１０１の右側面１２０の間の空間の上側に配置されている。
【００６９】
第１開口部８６の縁に設けられた保護部８１Ｃは、第１載置部１０１の右側面１２０よりも第１開口部８６の中心側（図５（ｃ）の左側）へ突出している。これにより、排紙ユニット１０の挿入部材１５が第１開口部８６に挿入されるときに、その先端部が樹脂で形成された左側のサイドフレーム１００に当たるのを抑えることが可能になっている。
【００７０】
また、保護部８１Ｃの右側面１２０の延長面に対する突出量は、リブ１２２の右側面１２０からの突出量と同じになっている。
【００７１】
そして、コネクタ固定部８４の固定穴８４Ａには、本体側コネクタＣ１が嵌め込まれている。
【００７２】
図６に示すように、右側のサイドフレーム２００の第２載置部２０１は、第１面の一例としての上面２１０と、上面２１０の左端部から下方に延びる第２面の一例としての左側面２２０とを有している。
【００７３】
第２載置部２０１の上面２１０は、排紙ユニット１０が装置本体２に取り付けられたときに、排紙ユニット１０から荷重を受ける面である。この上面２１０には、前後に離れた位置から上方に突出する一対の載置部側位置決め部の一例としての第２位置決め突起２１１が設けられている。
【００７４】
また、一対の第２位置決め突起２１１の間には、上面２１０から凹んだ凹部の一例としての第２凹部２１２が設けられている。この第２凹部２１２は、左側のサイドフレーム１００に設けられた第１凹部１１２と同様に、上面２１０にヒケが生じるのを抑えるために設けられている。
【００７５】
図７（ａ），（ｂ）に示すように、第２ブラケット９０は、金属からなる板状の部材である。第２ブラケット９０は、水平方向に延びる第１被覆部９１と、第１被覆部９１の左端部から下方に延びる第２被覆部９２とを有している。
【００７６】
第１被覆部９１には、一対のブラケット側位置決め部の一例としての丸穴９１Ａと長穴９１Ｂが形成されている。長穴９１Ｂは、丸穴９１Ａの後方に設けられ、前後方向に長くなっている。
【００７７】
第２被覆部９２は、下端の中央部に、第１被覆部９１側、すなわち、右側に突出するブラケット側係合部の一例としての第２係合部９３が設けられている。また、第２被覆部９２は、第２係合部９３を挟んだ前後の位置に、２つの貫通孔９２Ａが形成されている。
【００７８】
そして、第１被覆部９１と第２被覆部９２の角部には、開口部の一例としての第２開口部９４が形成されている。第２開口部９４は、第１被覆部９１の左端部と第２被覆部９２の上端部を切り欠くように形成されている。この第２開口部９４は、第１ブラケット８０に設けられた第１開口部８６よりも、一対のサイドフレーム１００，２００の対向方向、すなわち、左右方向に大きくなっている。
【００７９】
そして、第２開口部９４の縁には、案内部９２Ｂが設けられている。案内部９２Ｂは、第２開口部９４の第２被覆部９２側の縁から第２開口部９４の外側、詳細には、上斜め左側に延出している。
【００８０】
このように構成された第２ブラケット９０は、図８（ａ），（ｂ）に示すように、第１被覆部９１が第２載置部２０１の上面２１０を覆い、第２被覆部９２が第２載置部２０１の左側面２２０を覆うように、右側のサイドフレーム２００の第２載置部２０１に被せられている。
【００８１】
そして、第２ブラケット９０の第１被覆部９１に設けられた丸穴９１Ａと長穴９１Ｂが、第２載置部２０１の上面２１０に設けられた一対の第２位置決め突起２１１に係合することで、第２ブラケット９０が右側のサイドフレーム２００の第２載置部２０１に対して位置決めされている。また、第２被覆部９２の２つの貫通孔９２Ａに通された図示しないネジが、第２載置部２０１にねじ込まれることにより、第２ブラケット９０が第２載置部２０１に固定されている。
【００８２】
なお、第２ブラケット９０は、図８（ｂ）に示すように、第２被覆部９２が第２載置部２０１の左側面２２０と離間するように第２載置部２０１に固定され、第２ブラケット９０の第２開口部９４は、第２被覆部９２と第２載置部２０１の左側面２２０の間の空間の上側に配置されている。
【００８３】
図９に示すように、排紙ユニット１０に設けられた挿入部材１５は、金属からなる板状の部材である。挿入部材１５は、排紙ユニット１０の筐体１２に固定される固定部１５１と、固定部１５１から下方に延びる挿入部１５２とを有している。
【００８４】
固定部１５１は、前後端が左右方向内側に屈曲した断面コの字状に形成されている（図１０も参照）。具体的に、固定部１５１は、本体部１５１Ａと、本体部１５１Ａの前後端から左右方向内側に延びる当接部１５１Ｂとを有している。
【００８５】
挿入部１５２は、先端部が二又に分かれた形状を有しており、下方に突出する一対の挿入部材側係合部の一例としての係合突起１５２Ａを有している。つまり、挿入部１５２は、先端部の中央部に、上方に凹む係合凹部１５２Ｂが形成されている。また、挿入部１５２は、中央部に絞り加工によって左右方向内側に凹ませるように形成された補強部１５２Ｃが設けられている。
【００８６】
このように構成された挿入部材１５は、排紙ユニット１０を装置本体２に取り付けるときに、図１０（ａ），（ｂ）に示すように、挿入部１５２が、第１ブラケット８０の第１開口部８６および第２ブラケット９０の第２開口部９４に挿入され、固定部１５１の当接部１５１Ｂ（排紙ユニット１０）が、第１ブラケット８０の第１被覆部８１および第２ブラケット９０の第１被覆部９１に載るようになっている。
【００８７】
なお、第１開口部８６の縁と第２開口部９４の縁には、それぞれ案内部８２Ｂ，９２Ｂが設けられており、この案内部８２Ｂ，９２Ｂにより、挿入部１５２が第１開口部８６と第２開口部９４の内側に案内されるようになっている。これにより、挿入部１５２を第１開口部８６と第２開口部９４に挿入しやすくなっている。
【００８８】
そして、図１０（ａ）に示すように、第１載置部１０１の右側面１２０から突出するリブ１２２の上端部には、傾斜部１２２Ａが設けられ、この傾斜部１２２Ａが、第１開口部８６から離れるにつれて第２被覆部８２に近づくように傾斜しているため、第１開口部８６を通った挿入部１５２の先端が、リブ１２２の上端部に引っかかるのを抑えることが可能になっている。
【００８９】
また、各リブ１２２は、第１載置部１０１の右側面１２０から第２被覆部８２側に突出しているが、上下方向、すなわち、挿入部１５２の挿入方向に延びているので、挿入部１５２を一対のリブ１２２に引っかけることなく挿入することができるようになっている。
【００９０】
そして、第１ブラケット８０の第１開口部８６に挿入された挿入部１５２は、第１ブラケット８０の第２被覆部８２と第１載置部１０１の右側面１２０の間に配置され、第２被覆部８２と右側面１２０の一対のリブ１２２に挟まれている。具体的に、挿入部１５２の補強部１５２Ｃが第２被覆部８２に接触し、挿入部１５２の補強部１５２Ｃ以外の部分が一対のリブ１２２に接触している。
【００９１】
また、挿入部材１５の係合凹部１５２Ｂには、第１ブラケット８０の第１係合部８５が入り込み、第１係合部８５に一対の係合突起１５２Ａが前後から係合している。これにより、挿入部材１５の第１ブラケット８０に対する前後方向（第２被覆部８２と第１載置部１０１の右側面１２０の対向方向に直交する方向）の位置が決められている。
【００９２】
図１０（ｂ）に示すように、第２ブラケット９０の第２開口部９４に挿入された挿入部１５２は、第２ブラケット９０の第２被覆部９２と第２載置部２０１の左側面２２０の間に配置されている。また、挿入部材１５の係合凹部１５２Ｂには、第２ブラケット９０の第２係合部９３が入り込み、第２係合部９３に一対の係合突起１５２Ａが前後から係合している。これにより、挿入部材１５の第２ブラケット９０に対する前後方向（第２被覆部９２と第２載置部２０１の左側面２２０の対向方向に直交する方向）の位置が決められている。
【００９３】
以上のように構成された本実施形態のレーザプリンタ１においては、装置本体２の排紙ユニット１０の挿入部材１５が係合する部分、すなわち、第１ブラケット８０および第２ブラケット９０が、金属から形成されているので、装置本体２の排紙ユニット１０が固定される部分の強度を向上させることができる。
【００９４】
また、排紙ユニット１０に設けられた挿入部材１５の当接部１５１Ｂが、第１ブラケット８０の第１被覆部８１および第２ブラケット９０の第１被覆部９１の上に載るが、各第１被覆部８１，９１の下には、第１載置部１０１の上面１１０および第２載置部２０１の上面２１０が配置されているので、第１被覆部８１，９１が挿入部材１５から受ける荷重を各載置部１０１，２０１の広い面で受けることができる。
【００９５】
また、第２ブラケット９０の第２開口部９４は、第１ブラケット８０の第１開口部８６よりも左右方向に大きく形成されているので、一対の挿入部材１５の位置の誤差を吸収することができる。
【００９６】
以上、本発明の実施形態について説明したが、本発明は前記実施形態に限定されるものではない。具体的な構成については、本発明の趣旨を逸脱しない範囲で適宜変更が可能である。
【００９７】
前記実施形態では、左側のサイドフレーム１００に設けられる第１ブラケット８０と右側のサイドフレーム２００に設けられる第２ブラケット９０が別個の部品として形成されていたが、ブラケットの構成はこれに限定されるものではない。例えば、図１１に示すように、ブラケット３００は、一対のサイドフレーム１００，２００を連結するように設けられた１つの部品であってもよい。
【００９８】
具体的に、ブラケット３００は、金属からなり、左右方向に延びる第１被覆部３１０と、第１被覆部３１０の左右両端部から下方に延びる第２被覆部３２０，３３０とを有している。
【００９９】
第１被覆部３１０は、左右の両端部が左側のサイドフレーム１００および右側のサイドフレーム２００に重なり、左側のサイドフレーム１００の上面１１０（第１面）と右側のサイドフレーム２００の上面２１０（第１面）を覆っている。
【０１００】
また、第１被覆部３１０には、一対のサイドフレーム１００，２００の間に、貫通穴３１１が形成されており、その内側を装置本体２から排紙ユニット１０に搬送される用紙Ｓが通ることができるようになっている。
【０１０１】
第１被覆部３１０の左端部から延びる第２被覆部３２０は、左側のサイドフレーム１００の左側面１３０（第２面）を覆っている。また、第１被覆部３１０の右端部から延びる第２被覆部３３０は、右側のサイドフレーム２００の右側面２３０（第２面）を覆っている。
【０１０２】
そして、ブラケット３００は、第１被覆部３１０と第２被覆部３２０，３３０との角部に、それぞれ挿入部材１５が挿入される開口部３２１，３３１を有している。
【０１０３】
このように構成されたブラケット３００が設けられていても、装置本体２の挿入部材１５と係合する部分の強度を向上させることができる。
【０１０４】
また、ブラケット３００により一対のサイドフレーム１００，２００を連結することで、装置本体２の強度を向上させることができる。なお、本変形例においても、ブラケット３００のほかに、搬送ガイド４２や露光装置４１を支持する支持プレート４１Ａによってさらに一対のサイドフレーム１００，２００を連結していてもよい。
【符号の説明】
【０１０５】
１      レーザプリンタ
２      装置本体
１０    排紙ユニット
１１    オプショントレイ
１５    挿入部材
２１    本体排紙トレイ
８０    第１ブラケット
８１    第１被覆部
８１Ｃ  保護部
８２    第２被覆部
８２Ｂ  案内部
８３    第３被覆部
８５    第１係合部
８６    第１開口部
９０    第２ブラケット
９１    第１被覆部
９２    第２被覆部
９２Ｂ  案内部
９３    第２係合部
９４    第２開口部
１００  サイドフレーム
１０１  第１載置部
１１０  上面
１１１  第１位置決め突起
１１２  第１凹部
１２０  右側面
１２２  リブ
１２２Ａ  傾斜部
１３０  左側面
１５２Ａ  係合突起
２００  サイドフレーム
２０１  第２載置部
２１０  上面
２１１  第２位置決め突起
２１２  第２凹部
２２０  左側面
【図１】
2015194558.tif 000003
【図２】
2015194558.tif 000004
【図３】
2015194558.tif 000005
【図４】
2015194558.tif 000006
【図５】
2015194558.tif 000007
【図６】
2015194558.tif 000008
【図７】
2015194558.tif 000009
【図８】
2015194558.tif 000010
【図９】
2015194558.tif 000011
【図１０】
2015194558.tif 000012
【図１１】
2015194558.tif 000013